(57)【要約】【課題】表示面積の拡大及び外形サイズのコンパクト化が可能な蛍光表示管に関する。【解決手段】本発明は、対向配置される一対の第１及び第２基板１２，１４と、これら基板１２，１４の間に位置して密閉された空間を形成するサイドガラス１６と、電源印加時に熱電子を放出するフィラメント２４と、前記フィラメント２４の両端部を各々支持する第１及び第２複合型フィラメント支持体２０，２２と、熱電子によって発光して画像を実現するアノード１８とを含み、それぞれのフィラメント支持体２０，２２は、基板に固定される固定板２０ａと、前記固定板２０ａに直立状態に配置される少なくとも一つ以上のテンションアーム２２ｂと、前記フィラメントをテンション支持するようにアンカーアームの端部に備えられるテンションヘッド２２ｃと、前記固定板２０ａに直立状態に配置され、前記フィラメント２４を固定支持する少なくとも一つ以上の固定ヘッド２２ｄとを含む。【選択図】　　　図１
2004087468.tif 000002
【特許請求の範囲】
【請求項１】
対向配置される一対の第１及び第２基板と、
前記第１及び第２基板の間に位置して密閉された空間を形成するサイドガラスと、
電源印加時に熱電子を放出するフィラメントと、
前記基板のうちいずれか一つの基板に固定され、前記フィラメントの両端部を各々支持する第１及び第２フィラメント支持体と、
前記基板のうちの少なくとも一つの基板に備えられ、熱電子によって発光して画像を実現するアノードと、
を含み、前記第１及び第２フィラメント支持体のうちの少なくとも一つは複合型からなり、前記複合型フィラメント支持体は、
前記基板に固定される固定板と、
前記固定板に直立状態に配置される少なくとも一つ以上のテンションアームと、
前記フィラメントをテンション支持するようにアンカーアームの端部に備えられるテンションヘッドと、
前記固定板に直立状態に配置され、前記フィラメントを固定支持する少なくとも一つ以上の固定ヘッドと、
を含むことを特徴とする複合型フィラメント支持体を有する蛍光表示管。
【請求項２】
前記第１及び第２フィラメント支持体は各々複合型からなり、第１複合型フィラメント支持体のテンションヘッドと対向する位置の第２複合型フィラメント支持体には固定ヘッドまたはテンションヘッドが配置され、第１複合型フィラメント支持体の固定ヘッドと対向する位置の第２複合型フィラメント支持体にはテンションヘッドが配置されることを特徴とする請求項１に記載の複合型フィラメント支持体を有する蛍光表示管。
【請求項３】
前記第１及び第２複合型フィラメント支持体には数１を満足させる個数だけの固定ヘッドが各々備えられることを特徴とする請求項２に記載の複合型フィラメント支持体を有する蛍光表示管。
【数１】
2004087468.tif 000007
Ｍ：第１複合型フィラメント支持体に備えられる固定ヘッドの個数、
Ｍ’：第２複合型フィラメント支持体に備えられる固定ヘッドの個数、
Ｎ：フィラメントの全個数。
【請求項４】
前記固定ヘッドは固定板の長手方向端部側に配置されることを特徴とする請求項３に記載の複合型フィラメント支持体を有する蛍光表示管。
【請求項５】
前記固定ヘッドはテンションヘッドが配置された反対側端部のテンションアームに一体に形成されることを特徴とする請求項４に記載の複合型フィラメント支持体を有する蛍光表示管。
【請求項６】
前記固定ヘッドには隣接したテンションヘッドとの間隔を増加させるための面取り部が備えられることを特徴とする請求項５に記載の複合型フィラメント支持体を有する蛍光表示管。
【請求項７】
前記第１及び第２複合型フィラメント支持体には数２を満足させる個数だけの固定ヘッドが各々備えられることを特徴とする請求項２に記載の複合型フィラメント支持体を有する蛍光表示管。
【数２】
2004087468.tif 000008
Ｍ：第１複合型フィラメント支持体に備えられる固定ヘッドの個数、
Ｍ’：第２複合型フィラメント支持体に備えられる固定ヘッドの個数、
Ｎ：フィラメントの全個数。
【請求項８】
前記第１複合型フィラメント支持体に備えられる固定ヘッドは固定板の長手方向端部側に配置されることを特徴とする請求項７に記載の複合型フィラメント支持体を有する蛍光表示管。
【請求項９】
前記固定ヘッドはテンションヘッドが配置された反対側端部のテンションアームに一体に形成されることを特徴とする請求項８に記載の複合型フィラメント支持体を有する蛍光表示管。
【請求項１０】
前記第２複合型フィラメント支持体に備えられる固定ヘッドの中で固定板の長手方向端部側に配置される固定ヘッドはテンションヘッドが配置された反対側端部のテンションアームに一体に形成されることを特徴とする請求項８に記載の複合型フィラメント支持体を有する蛍光表示管。
【請求項１１】
前記固定ヘッドには隣接したテンションヘッドとの間隔を増加させるための面取り部が備えられることを特徴とする請求項１０に記載の複合型フィラメント支持体を有する蛍光表示管。
【請求項１２】
前記第１及び第２複合型フィラメント支持体には数３を満足させる個数だけの固定ヘッドが各々備えられることを特徴とする請求項２に記載の複合型フィラメント支持体を有する蛍光表示管。
【数３】
2004087468.tif 000009
Ｍ：第１複合型フィラメント支持体に備えられる固定ヘッドの個数、
Ｍ’：第２複合型フィラメント支持体に備えられる固定ヘッドの個数、
Ｎ：フィラメントの全個数。
【請求項１３】
前記第１及び第２複合型フィラメント支持体に備えられる固定ヘッドの中で固定板の長手方向端部側に配置されるそれぞれの固定ヘッドはテンションヘッドが配置された反対側端部のテンションアームに一体に形成されることを特徴とする請求項１２に記載の複合型フィラメント支持体を有する蛍光表示管。
【請求項１４】
前記固定ヘッドには隣接したテンションヘッドとの間隔を増加させるための面取り部が備えられることを特徴とする請求項１３に記載の複合型フィラメント支持体を有する蛍光表示管。
【発明の詳細な説明】
【０００１】
【発明の属する技術分野】
本発明は蛍光表示管に関し、より詳しくはテンションヘッド（ｔｅｎｓｉｏｎ　ｈｅａｄ）及び固定ヘッド（ｔｅｎｓｉｏｎｌｅｓｓ　ｈｅａｄ）を全て備える複合型フィラメント支持体を備えた蛍光表示管（ＶＡＣＵＵＭ　ＦＬＵＯＲＥＳＣＥＮＴ　ＤＩＳＰＬＡＹ　ＨＡＶＩＮＧ　ＣＯＭＰＬＥＸ−ＴＹＰＥ　ＦＩＬＡＭＥＮＴ
ＳＵＰＰＯＲＴＳ）に関する。
【０００２】
【従来の技術】
一般に、蛍光表示管は多様な機械または装置の入出力状態及び動作状況を認識することができるようにする一種の電子管であって、最近は各種産業機械の発達により多く用いられる傾向にある。
【０００３】
図６には通常の蛍光表示管が示されている。この蛍光表示管は、内部に真空状態の空間部が備えられ、少なくとも一方向の視野部が透明に形成された真空容器と、真空容器の内部に備えられ、電子の供給を受けて発光して一定の信号を表示するアノード１１０と、外部から電源の印加を受けて熱電子を放出するように一対のフィラメント支持体１１２に溶接固定されるフィラメント１１４と、フィラメント１１４から放出された熱電子を加速拡散したり遮断するグリッド電極（図示せず）を含む。
【０００４】
前記真空容器はアノード１１０が設置される下部基板１１６と、下部基板１１６の上部に一定の間隔をおいて位置し、透視が容易であるように形成された上部基板（図示せず）と、下部基板１１６と上部基板の間に形成される空間部を密閉するようにフリットガラス（Ｆ）によって封着されるサイドガラス１１８で構成され、真空容器の空間部は熱電子の放出及び移動が容易に行われることができるようにするために高真空状態に維持される。
【０００５】
そして、前記フィラメント支持体１１２はフィラメント１１４がアノード１１０の上側に位置されるようにフィラメント１１４の両端を固定するものであって、特に、フィラメント１１４が熱により膨張してもフィラメントの張力を一定に維持できるようにするためにフィラメントの両端部をテンション支持する。
【０００６】
前記フィラメント支持体１１２の構成を図６及び図７を参照すると、従来のフィラメント支持体１１２は下部基板１１６に設置されたリードフレームのマウント１２０に溶接固定される固定板１１２ａと、フィラメント１１４と同一な個数だけ備えられ、前記フィラメント１１４の端部が固定されるテンションヘッド１１２ｂと、前記テンションヘッド１１２ｂをテンション支持するように固定板に直立状態に配置されるテンションアーム１１２ｃからなり、前記テンションアーム１１２ｃはテンションヘッド１１２ｂにテンション力を付与するために略２．５ｍｍのアーム長Ｌ１を有する。図６ではテンションヘッド１１２ｂにフィラメント１１４が固定された状態でのテンションアーム１１２ｃのアーム長をＬ２と示したが、以下では説明の便宜上前記アーム長Ｌ２とテンションアーム１１２ｃの実際のアーム長Ｌ１が同一であると仮定する。ここで、前記図７で、未説明図面符号１１２ｄはゲッター支持台を示し、点線は折曲線を示す。
【０００７】
【発明が解決しようとする課題】
ところで、前記で説明した従来のフィラメント支持体を有する蛍光表示管は次のような問題点を有する。一般に、サイドガラス１１８と下部基板１１６を封着するフリットガラス（Ｆ）がフィラメント支持体１１２のテンションアーム１１２ｃに接触すれば、前記テンションアーム１１２ｃはテンション力を喪失してフィラメント１１４の支持作用を行うことができなくなる。そして、フリットガラス（Ｆが固定板１１２ａの一部に塗布された場合にはフリットガラス（Ｆ）を加熱して下部基板１１６とサイドガラス１１８を封着する時、フリットガラス（Ｆ）とフィラメント支持体１１２間の熱膨張係数の差によってフリットガラス（Ｆ）に亀裂が発生し、これによって異物（破れたフリット）が発生して蛍光表示管内部が汚染されると同時に、固定板１１２ａがマウント１２０部から外れて浮いてフィラメントが震える現象が発生する問題点があった。
【０００８】
従来は固定板１１２ａの端部とサイドガラス１１８の間に略０．８５ｍｍ以上の空間（Ｇ）を確保することによって、フリットガラス（Ｆ）とフィラメント支持体１１２の接触による問題点を抑制した。
【０００９】
したがって、従来のフィラメント支持体を有する蛍光表示管は固定板１１２ａの長手方向端部とサイドガラス１１８の間に確保しなければならない空間（Ｇ：Ｇ＝０．８５ｍｍ）と、テンションアーム１１２ｃにフィラメント１１４が固定された状態でのアーム長（Ｌ２：Ｌ２＝２．５ｍｍ）を合せた略３．３ｍｍ程度の空間がアノード電極１１０による表示面積（照射面積、蛍光面積）として使用することができず、これにより外形サイズが不必要に増加する問題点がある。
【００１０】
本発明はテンションヘッド及び固定ヘッドを有する複合型フィラメント支持体を備えることにより前記問題点を解決した複合型フィラメント支持体を有する蛍光表示管を提供することに目的がある。
【００１１】
【課題を解決するための手段】
前記本発明の目的は、第１及び第２複合型フィラメント支持体を有する蛍光表示管によって達成することができるが、前記複合型フィラメント支持体はフィラメントの端部を固定するテンションヘッドと固定ヘッドを全て備える支持体を言う。
【００１２】
前記複合型フィラメント支持体について詳細に参照すると、それぞれの複合型フィラメント支持体は、基板に固定される固定板と、前記固定板に直立状態に配置される少なくとも一つ以上のテンションアームと、前記フィラメントをテンション支持するようにアンカーアームの端部に備えられるテンションヘッドと、前記固定板に直立状態に配置され、前記フィラメントを固定支持する少なくとも一つ以上の固定ヘッドとを含み、第１複合型フィラメント支持体のテンションヘッドと対向する位置の第２複合型フィラメント支持体には固定ヘッドまたはテンションヘッドが配置され、第１複合型フィラメント支持体の固定ヘッドと対向する位置の第２複合型フィラメント支持体にはテンションヘッドが配置される。
【００１３】
第１複合型フィラメント支持体に備えられる固定ヘッドの個数をＭとし、第２複合型フィラメント支持体に備えられる固定ヘッドの個数をＭ’とし、フィラメントの全個数をＮとする時、本発明は好ましい第１実施例として、前記第１及び第２複合型フィラメント支持体に数４を満足させる個数だけの固定ヘッドが各々備えられる蛍光表示管を提供する。
【００１４】
【数４】
Ｍ＝Ｍ’＝｛Ｎ−（Ｎ−１）｝
本実施例において、前記固定ヘッドは固定板の長手方向端部側に配置され、好ましくはテンションヘッドが配置された反対側端部のテンションアームに一体に提供される。そして、前記固定ヘッドには隣接したテンションヘッドとの間隔を増加させるための面取り部が備えられる。
【００１５】
本発明は好ましい第２実施例として、前記第１及び第２複合型フィラメント支持体に数５を満足させる個数だけの固定ヘッドが各々備えられる蛍光表示管を提供する。
【００１６】
【数５】
2004087468.tif 000003
本実施例において、第１複合型フィラメント支持体に備えられる固定ヘッドは前述した第１実施例と同一に構成され、第２複合型フィラメント支持体に備えられる固定ヘッドの中で固定板の長手方向端部側に配置される固定ヘッドはテンションヘッドが配置された反対側端部のテンションアームに一体に提供する。そして、本発明は好ましい第３実施例として、第１及び第２複合型フィラメント支持体に数６を満足する個数だけの固定ヘッドが各々備えられる蛍光表示管を提供する。
【００１７】
【数６】
2004087468.tif 000004
本実施例において、第１及び第２複合型フィラメント支持体に備えられる固定ヘッドの中で固定板の長手方向端部側に配置されるそれぞれの固定ヘッドはテンションヘッドが配置された反対側端部のテンションアームに一体に提供される。
【００１８】
上述したように、複合型フィラメント支持体は固定板のある一側端部に提供されたテンションアームに固定ヘッドが一体に備えられるので、従来のフィラメント支持体よりテンションアームのアーム長に該当する大略２．５ｍｍの長さを縮少することができる。したがって、前記蛍光表示管をコンパクトに製造することができ、また、同一サイズの蛍光表示管を製造する場合には表示面積を増加させることも可能である。
【００１９】
【発明の実施の形態】
以下、添付図面を参照して本発明の好ましい実施の形態による蛍光表示管を詳細に説明する。図１は本発明による蛍光表示管の平面図を示す。
【００２０】
蛍光表示管は真空容器を形成する第１及び第２基板１２、１４とサイドガラス１６と、所定のパターンで蛍光体が印刷されて発光する蛍光層及び外部電源を蛍光層に印加する導電層を含むアノード１８と、第１及び第２複合型フィラメント支持体２０、２２により第２基板１４から所定の高さで設置されるフィラメント２４と、フィラメント２４から放出された熱電子を加速拡散したり遮断し、フィラメントと所定間隔をおいて設置されるグリッド電極（図示せず）を含む。
【００２１】
前記第１及び第２複合型フィラメント支持体２０、２２はフィラメント２４の両端部を各々固定してフィラメント２４を所定の緊張状態に維持する作用をし、図１及び図２を参照して第１及び第２複合型フィラメント支持体２０、２２について注目すると次の通りである。
【００２２】
本実施の形態の場合、第１及び第２複合型フィラメント支持体２０、２２は互いに同一の構成を有するので、以下では第１複合型フィラメント支持体２０についてだけ説明する。
【００２３】
第１複合型フィラメント支持体２０は固定板２０ａ、テンションアーム２０ｂ、テンションヘッド２０ｃ及び固定ヘッド２０ｄを含む。前記固定板２０ａは第２基板１４に設置されたリードフレームのマウント２６に溶接固定され、テンションアーム２０ｂは折曲線（図２に点線で示す）に沿って固定板２０ａから垂直方向にベンディング形成され、テンションヘッド２０ｃはテンションアーム２０ｂの端部側折曲線に沿って水平方向にベンディング形成される。
【００２４】
そして、固定板２０ａの長手方向の端部に配置されたテンションアーム２０ｂにはフィラメント２４に張力を印加しない構造の固定ヘッド２０ｄが形成される。この時、本実施の形態は、図中右側の第１複合型フィラメント支持体２０に備えられる固定ヘッド２０ｄの個数をＭとし、図中左側の第２複合型フィラメント支持体２２に備えられる固定ヘッド２２ｄの個数をＭ’とし、フィラメント２４の全個数をＮとする時、前記第１及び第２複合型フィラメント支持体２０、２２に数７を満足させる個数だけの固定ヘッド２０ｄ、２２ｄが各々備えられる。
【００２５】
【数７】
Ｍ＝Ｍ’＝｛Ｎ−（Ｎ−１）｝
一例として、図１に示したように表示管内部に５個のフィラメント２４を設置する場合、本実施の形態の第１及び第２複合型フィラメント支持体２０、２２は各々４個のテンションヘッド及びテンションアームと、一つの固定ヘッドを有する構造で形成される。
【００２６】
そして、前記第１及び第２複合型フィラメント支持体２０、２２は第１複合型フィラメント支持体２０のテンションヘッド２０ｃと対向する位置の第２複合型フィラメント支持体２２には固定ヘッド２２ｄまたはテンションヘッドが配置され、第１複合型フィラメント支持体２０の固定ヘッド２０ｄと対向する位置の第２複合型フィラメント支持体２２にはテンションヘッド２２ｃが配置されるように設置される。
【００２７】
一例として、第１及び第２複合型フィラメント支持体２０、２２はそれぞれの固定ヘッド２０ｄ、２２ｄが図１に示したように蛍光表示管の右上及び左下の位置に配置されるように設置されたり、図示してはいないが、右下及び左上の位置に配置されるように設置され得る。
【００２８】
そして、固定板２０ａにはゲッター支持台２０ｅと、マウント２６と固定板２０ａの整列のためのジグピン（図示せず）が挿入されるピン挿入ホール２０ｆが形成される。
【００２９】
このような状態でフィラメント支持体２０、２２を設置すれば、固定ヘッド２０ｄ、２２ｄと対向する方向にはフィラメント２４をテンション支持できるテンションヘッド２２ｃ、２０ｃが各々配置される。したがって、それぞれのフィラメント２４を所定の緊張状態に維持することができる。
【００３０】
そして、前記の構成の複合型フィラメント支持体２０、２２は従来のフィラメント支持体（図６の１１２に示す）よりテンションアーム２０ｂのアーム長Ｌ２に該当する長さを縮少することができる。
【００３１】
一例として、５個のフィラメント２４を固定するために従来は図６に示したようにＬ３程度の長さを有する固定板１１２ａを使用したが、本発明では従来の固定板長Ｌ３からテンションアームのアーム長Ｌ２を除いただけの長さＬ４を有する固定板２０ａを使用することができる。
【００３２】
したがって、本発明の複合型フィラメント支持体２０、２２を使用した蛍光表示管は、前記テンションアーム２０ｂのアーム長Ｌ２だけサイズの縮少が可能である。図１には従来の蛍光表示管の大きさを点線で示した。
【００３３】
また、蛍光表示管のサイズを縮少する代りに前記テンションアームの長さＬ２だけアノード１８の表示面積（照射面積、蛍光面積）を拡大することも可能である。この場合、フィラメント支持体２０、２２は従来と同一の長さの固定板を使用しながらも一個のテンションヘッドをさらに備えることができる。
【００３４】
そして、図３に示したようにテンションヘッド２０ｃ側に偏向配置された固定ヘッド２０ｄを備えるフィラメント支持体２０の場合には固定ヘッド２０ｄに面取り部２０’ｄを形成することによってテンションヘッド２０ｃと固定ヘッド２０ｄ間の間隔を増加させることができる。
【００３５】
図４は本発明の第２実施の形態による蛍光表示管を示しており、本実施の形態の第１及び第２複合型フィラメント支持体２０、２２’は次の数８を満足させる。
【００３６】
【数８】
2004087468.tif 000005
つまり、図中右側の第１複合型フィラメント支持体２０は前述した図１の第１実施の形態と同様に一個の固定ヘッド２０ｄを有する反面、左側の第２複合型フィラメント支持体２２’は２個以上の固定ヘッド２２’ｄを有する。
【００３７】
一例として、５個のフィラメントが設置される場合、図中左側の第２複合型フィラメント支持体２２’は２乃至４個の固定ヘッド２２’ｄを有する。図４には第２複合型フィラメント支持体２２’に４個の固定ヘッド２２’ｄが備えられた状態を示した。
【００３８】
図示してはいないが、前記第２複合型フィラメント支持体が一個の固定ヘッドを備え、第１複合型フィラメント支持体が２乃至４個の固定ヘッドを備えることも可能である。図４で、図面符号２２’ｃは第２複合型フィラメント支持体２２’のテンションヘッドを示し、図面符号２２’ａは第２複合型フィラメント支持体２２’の固定板を示す。
【００３９】
図５は本発明の第３実施の形態による蛍光表示管の平面図を示しており、本実施の形態の第１及び第２複合型フィラメント支持体２０”、２２”は次の数９を満足する。
【００４０】
【数９】
2004087468.tif 000006
つまり、本実施の形態の第１及び第２複合型フィラメント支持体２０”、２２”は各々２個以上の固定ヘッド２０”ｄ、２２”ｄを備える。一例として、５個のフィラメント２４が設置される場合、第１及び第２複合型フィラメント支持体２０”、２２”は２乃至４個の固定ヘッド２０”ｄ、２２”ｄを各々備える。図５には第１複合型フィラメント支持体２０”に２個の固定ヘッド２０”ｄが備えられ、第２複合型フィラメント支持体２２”に３個の固定ヘッド２２”ｄが備えられた状態を示した。
【００４１】
前記図５で、未説明図面符号２２”ｃは第２複合型フィラメント支持体２２”のテンションヘッドを示し、２０”ａ、２０”ｂ、２０”ｃ、２０”ｄは第１複合型フィラメント支持体２０”の固定板、テンションアーム、テンションヘッド、固定ヘッドを各々示す。
【００４２】
【発明の効果】
以上説明したように、本発明によれば、固定板の端部とサイドガラス間の間隔を最大限に縮少することができるので、コンパクトな蛍光表示管を製造することが可能である。また、従来と同一のサイズで蛍光表示管を製造する場合には一個のフィラメントを追加的に設置するだけの余裕空間が確保されるので、表示面積を増加させることができる。
【図面の簡単な説明】
【図１】本発明の第１実施の形態による複合型フィラメント支持体にフィラメントが設置された状態を示す蛍光表示管の平面図である。
【図２】図１に示した第１複合型フィラメント支持体の展開図である。
【図３】図１に示した第１複合型フィラメント支持体の変形実施の形態を示す展開図である。
【図４】本発明の第２実施の形態による複合型フィラメント支持体にフィラメントが設置された状態を示す蛍光表示管の平面図である。
【図５】本発明の第３実施の形態による複合型フィラメント支持体にフィラメントが設置された状態を示す蛍光表示管の平面図である。
【図６】従来技術のフィラメント支持体にフィラメントが設置された状態を示した蛍光表示管の平面図である。
【図７】従来技術によるフィラメント支持体の展開図である。
【符号の説明】
１２　第１基板
１４　第２基板
１６　サイドガラス
１８　アノード
２０　第１複合型フィラメント支持体
２０ａ　固定板
２０ｂ　テンションアーム
２０ｃ　テンションヘッド
２０ｄ　固定ヘッド
２２　第２複合型フィラメント支持体
２２ｃ　テンションヘッド
２２ｄ　固定ヘッド
２２’　第２複合型フィラメント支持体
２２’ａ　第２複合型フィラメント支持体の固定板
２０”　第１複合型フィラメント支持体
２０”ｄ　固定ヘッド
２２”　第２複合型フィラメント支持体
２４　フィラメント
Ｆ　フリットガラス
Ｇ　空間
Ｌ１　実際のアーム長
Ｌ２　アーム長
【図１】
2004087468.tif 000010
【図２】
2004087468.tif 000011
【図３】
2004087468.tif 000012
【図４】
2004087468.tif 000013
【図５】
2004087468.tif 000014
【図６】
2004087468.tif 000015
【図７】
2004087468.tif 000016